(57)【特許請求の範囲】
【請求項１】
ユーザーの指示により、前記ユーザーの到来が予測される箇所にそれぞれ設けられた複数の持ち物検出装置から前記ユーザーの持ち物の検出結果を取得して前記ユーザーに通知する持ち物管理装置であって、
前記持ち物検出装置は、
所定のタイミングで、前記ユーザーの持ち物に設けられた近距離通信用の無線通信機器に応答を呼びかけ、前記ユーザーを特定するユーザーＩＤ、前記持ち物を特定する機器ＩＤを前記近距離通信用の無線通信機器から取得する無線通信部と、
前記無線通信部で取得された前記ユーザーＩＤと、前記機器ＩＤと、当該ユーザーＩＤ及び機器ＩＤを取得した時点の時間情報とを対応付けて記録して保持する記録部と、
前記持ち物管理装置との間でデータ通信する持ち物検出装置のデータ通信部と、
前記持ち物検出装置のデータ通信部を介して得られる前記持ち物管理装置からの前記ユーザーＩＤの記録の問い合わせにより、当該ユーザーＩＤに対応する少なくとも前記機器ＩＤ及び前記時間情報を前記記録部から検索して前記持ち物検出装置のデータ通信部を介して前記持ち物管理装置に通知するコントローラと、
を備え、
前記複数の持ち物検出装置の少なくとも１つは、部屋の出入口に設けられ、一定の時間間隔で前記近距離通信用の無線通信機器に応答を呼びかけ、
前記ユーザーが前記部屋に入退出する際に、前記応答の呼びかけに対して前記近距離通信用の無線通信機器から応答が得られると、前記ユーザーが携帯する持ち物の前記ユーザーＩＤ及び機器ＩＤを前記近距離通信用の無線通信機器から取得し、取得した前記ユーザーＩＤ及び機器ＩＤと共に、当該ユーザーＩＤ及び機器ＩＤを取得した時点の時間情報を対応付けて記録し、
前記持ち物管理装置は、
前記ユーザーの指示により、前記複数の持ち物検出装置の全てに対し、問い合わせ先を順次設定しながら前記ユーザーＩＤを問い合わせて当該ユーザーＩＤに対応する機器ＩＤ及び時間情報を取得し、
前記問い合わせ先の持ち物検出装置から取得した前記ユーザーＩＤ及び前記機器ＩＤを、取得した前記時間情報に基づいて時系列で集計し、集計結果を解析して、時系列により連続する前記機器ＩＤの検出結果を比較し、前記ユーザーの持ち物の変化及び変化した持ち物を検出して、当該ユーザーの持ち物の変化及び変化した持ち物に関する検出結果を前記ユーザーに通知する、持ち物管理装置。
【請求項２】
ユーザーの指示により、前記ユーザーの到来が予測される箇所にそれぞれ設けられた複数の持ち物検出装置から前記ユーザーの持ち物の検出結果を取得して前記ユーザーに通知する持ち物管理方法であって、
前記持ち物検出装置は、
所定のタイミングで、前記ユーザーの持ち物に設けられた近距離通信用の無線通信機器に応答を呼びかけ、前記ユーザーを特定するユーザーＩＤ、前記持ち物を特定する機器ＩＤを前記近距離通信用の無線通信機器から取得する無線通信部と、
前記無線通信部で取得された前記ユーザーＩＤと、前記機器ＩＤと、当該ユーザーＩＤ及び機器ＩＤを取得した時点の時間情報とを対応付けて記録して保持する記録部と、
前記持ち物管理装置との間でデータ通信する持ち物検出装置のデータ通信部と、
前記持ち物検出装置のデータ通信部を介して得られる前記持ち物管理装置からの前記ユーザーＩＤの記録の問い合わせにより、当該ユーザーＩＤに対応する少なくとも前記機器ＩＤ及び前記時間情報を前記記録部から検索して前記持ち物検出装置のデータ通信部を介して前記持ち物管理装置に通知するコントローラと、
を備え、
前記複数の持ち物検出装置の少なくとも１つは、部屋の出入口に設けられ、一定の時間間隔で前記近距離通信用の無線通信機器に応答を呼びかけ、
前記ユーザーが前記部屋に入退出する際に、前記応答の呼びかけに対して前記近距離通信用の無線通信機器から応答が得られると、前記ユーザーが携帯する持ち物の前記ユーザーＩＤ及び機器ＩＤを前記近距離通信用の無線通信機器から取得し、取得した前記ユーザーＩＤ及び機器ＩＤと共に、当該ユーザーＩＤ及び機器ＩＤを取得した時点の時間情報を対応付けて記録し、
前記持ち物管理方法は、前記ユーザーの指示により、前記複数の持ち物検出装置の全てに対し、問い合わせ先を順次設定しながら前記ユーザーＩＤを問い合わせて当該ユーザーＩＤに対応する機器ＩＤ及び時間情報を取得する記録取得ステップと、
前記記録取得ステップで前記問い合わせ先の持ち物検出装置から取得した前記ユーザーＩＤ及び前記機器ＩＤを、取得した前記時間情報に基づいて時系列で集計し、集計結果を解析して、時系列により連続する前記機器ＩＤの検出結果を比較し、前記ユーザーの持ち物の変化及び変化した持ち物を検出して、当該ユーザーの持ち物の変化及び変化した持ち物に関する検出結果を前記ユーザーに通知する通知ステップと、
を有する、持ち物管理方法。
【請求項３】
ユーザーの到来が予測される箇所にそれぞれ設置された複数の持ち物検出装置と、前記複数の持ち物検出装置による検出結果を処理する持ち物管理装置とによる持ち物管理システムであって、
前記持ち物検出装置は、
所定のタイミングで、前記ユーザーの持ち物に設けられた近距離通信用の無線通信機器に応答を呼びかけ、前記ユーザーを特定するユーザーＩＤ、前記持ち物を特定する機器ＩＤを前記近距離通信用の無線通信機器から取得する無線通信部と、
前記無線通信部で取得された前記ユーザーＩＤと、前記機器ＩＤと、当該ユーザーＩＤ及び機器ＩＤを取得した時点の時間情報とを対応付けて記録して保持する記録部と、
前記持ち物管理装置との間でデータ通信する持ち物検出装置のデータ通信部と、
前記持ち物検出装置のデータ通信部を介して得られる前記持ち物管理装置からの前記ユーザーＩＤの記録の問い合わせにより、当該ユーザーＩＤに対応する少なくとも前記機器ＩＤ及び前記時間情報を前記記録部から検索して前記持ち物検出装置のデータ通信部を介して前記持ち物管理装置に通知するコントローラと、
を備え、
前記複数の持ち物検出装置の少なくとも１つは、部屋の出入口に設けられ、一定の時間間隔で前記近距離通信用の無線通信機器に応答を呼びかけ、
前記ユーザーが前記部屋に入退出する際に、前記応答の呼びかけに対して前記近距離通信用の無線通信機器から応答が得られると、前記ユーザーが携帯する持ち物の前記ユーザーＩＤ及び機器ＩＤを前記近距離通信用の無線通信機器から取得し、取得した前記ユーザーＩＤ及び機器ＩＤと共に、当該ユーザーＩＤ及び機器ＩＤを取得した時点の時間情報を対応付けて記録し、
前記持ち物管理装置は、
前記ユーザーの指示により、前記複数の持ち物検出装置の全てに対し、問い合わせ先を順次設定しながら前記ユーザーＩＤを問い合わせて当該ユーザーＩＤに対応する機器ＩＤ及び時間情報を取得し、
前記問い合わせ先の持ち物検出装置から取得した前記ユーザーＩＤ及び前記機器ＩＤを、取得した前記時間情報に基づいて時系列で集計し、集計結果を解析して、時系列により連続する前記機器ＩＤの検出結果を比較し、前記ユーザーの持ち物の変化及び変化した持ち物を検出して、当該ユーザーの持ち物の変化及び変化した持ち物に関する検出結果を前記ユーザーに通知する、持ち物管理システム。
【発明の詳細な説明】
【技術分野】
【０００１】
本発明は、持ち物管理装置、持ち物管理方法及び持ち物管理システムに関し、例えば家、車、オフィス等のユーザーの立ち寄り先での忘れ物の発見に利用することができる。本発明は、ユーザーの到来が予測される箇所でそれぞれユーザーの持ち物を検出し、この持ち物の検出結果の時系列による集計により、何れの場所で持ち物を紛失したかを簡易かつ確実に検出することができるようにする。
【背景技術】
【０００２】
従来、無線通信による機器間の通信を利用して遺失物を検出する方法が種々に提案されるようになされている。すなわち例えば特開２００２−２１５８４８号公報においては、遺失物に取り付けられたＩＤタグからの応答によりこの遺失物の存在する場所を具体的に特定する方法が提案されるようになされている。
【０００３】
しかしながらこのような遺失物の検出方法においては、ＩＤタグからの応答を検出可能な範囲でしか遺失物を検出し得ない問題がある。これにより従来の遺失物の検出方法にあっては、実用上、未だ不十分な問題があった。
【０００４】
これに対して従来、実際に持ち物を紛失した場合、記憶を便りにそれまでの行動を振り返って何れの場所で持ち物を紛失したかを確認し、紛失した場所の管理部門に遺失物の届け出を確認することが多い。すなわち例えば電車内への置き忘れを気付いた場合には、鉄道会社に連絡を取ることになる。これにより遺失物の存在箇所を具体的に特定できないまでも、何れの場所で持ち物を紛失したかを簡易かつ確実に確認することができれば、遺失物の発見精度を格段的に向上し得ると考えられる。
【特許文献１】特開２００２−２１５８４８号公報
【発明の開示】
【発明が解決しようとする課題】
【０００５】
本発明は以上の点を考慮してなされたもので、何れの場所で持ち物を紛失したかを簡易かつ確実に検出することができる持ち物管理装置、持ち物管理方法及び持ち物管理システムを提案しようとするものである。
【課題を解決するための手段】
【０００６】
かかる課題を解決するため請求項１の発明においては、ユーザーによる指示により、前記ユーザーの到来が予測される箇所にそれぞれ設けられた複数の持ち物検出装置から前記ユーザーの持ち物の検出結果を取得して前記ユーザーに通知する持ち物管理装置に適用して、前記持ち物検出装置は、所定のタイミングで、前記ユーザーの持ち物に設けられた無線通信機器に応答を呼びかけ、前記ユーザーを特定するユーザーＩＤ、前記持ち物を特定する機器ＩＤを前記無線通信機器から取得する無線通信部と、前記無線通信部で取得された前記ユーザーＩＤ、前記機器ＩＤを時間情報と共に記録して保持する記録部と、前記持ち物管理装置との間でデータ通信する持ち物検出装置のデータ通信部と、前記持ち物検出装置のデータ通信部を介して得られる前記持ち物管理装置からの前記ユーザーＩＤの記録の問い合わせにより、対応する記録を前記記録部から検索して前記持ち物検出装置のデータ通信部を介して前記持ち物管理装置に通知するコントローラとを備え、前記複数の持ち物検出装置の少なくとも１つは、部屋の出入口に設けられ、一定の時間間隔で前記無線通信機器に応答を呼びかけ、前記無線通信機器から応答が得られると、前記ユーザーＩＤ、前記機器ＩＤを前記無線通信機器から取得することにより、前記ユーザーが前記部屋に入室する時点及び前記部屋を退出する時点で、前記ユーザーが携帯する持ち物の前記ユーザーＩＤ及び機器ＩＤを取得し、記持ち物管理装置は、前記ユーザーの指示により、前記複数の持ち物検出装置に前記ユーザーＩＤの記録を問い合わせして前記複数の持ち物検出装置から前記対応する記録を取得し、取得した記録を、記録して保持した対応する前記持ち物検出装置の設置場所の情報と共に前記時間情報により時系列で集計し、集計結果を解析して、それまで検出されていて、検出されなくなった前記ユーザーの持ち物について、最後に検出された前記持ち物検出装置の設置場所と、検出されなくなった前記持ち物検出装置の設置場所とを前記ユーザーに通知する。
【０００７】
また請求項２の発明においては、ユーザーによる指示により、前記ユーザーの到来が予測される箇所にそれぞれ設けられた複数の持ち物検出装置から前記ユーザーの持ち物の検出結果を取得して前記ユーザーに通知する持ち物管理方法に適用して、前記持ち物検出装置は、所定のタイミングで、前記ユーザーの持ち物に設けられた無線通信機器に応答を呼びかけ、前記ユーザーを特定するユーザーＩＤ、前記持ち物を特定する機器ＩＤを前記無線通信機器から取得する無線通信部と、前記無線通信部で取得された前記ユーザーＩＤ、前記機器ＩＤを時間情報と共に記録して保持する記録部と、前記持ち物管理装置との間でデータ通信する持ち物検出装置のデータ通信部と、前記持ち物検出装置のデータ通信部を介して得られる前記持ち物管理装置からの前記ユーザーＩＤの記録の問い合わせにより、対応する記録を前記記録部から検索して前記持ち物検出装置のデータ通信部を介して前記持ち物管理装置に通知するコントローラとを備え、前記複数の持ち物検出装置の少なくとも１つは、部屋の出入口に設けられ、一定の時間間隔で前記無線通信機器に応答を呼びかけ、前記無線通信機器から応答が得られると、前記ユーザーＩＤ、前記機器ＩＤを前記無線通信機器から取得することにより、前記ユーザーが前記部屋に入室する時点及び前記部屋を退出する時点で、前記ユーザーが携帯する持ち物の前記ユーザーＩＤ及び機器ＩＤを取得し、記持ち物管理方法は、前記ユーザーの指示により、前記複数の持ち物検出装置に前記ユーザーＩＤの記録を問い合わせして前記複数の持ち物検出装置から前記対応する記録を取得する記録取得ステップと、前記記録取得ステップで取得した記録を、記録して保持した対応する前記持ち物検出装置の設置場所の情報と共に前記時間情報により時系列で集計し、集計結果を解析して、それまで検出されていて、検出されなくなった前記ユーザーの持ち物について、最後に検出された前記持ち物検出装置の設置場所と、検出されなくなった前記持ち物検出装置の設置場所とを前記ユーザーに通知する通知ステップとを有するようにする。
【０００８】
また請求項３の発明においては、ユーザーの到来が予測される箇所にそれぞれ設置された複数の持ち物検出装置と、前記複数の持ち物検出装置による検出結果を処理する持ち物管理装置とによる持ち物管理システムに適用して、前記持ち物検出装置は、所定のタイミングで、前記ユーザーの持ち物に設けられた無線通信機器に応答を呼びかけ、前記ユーザーを特定するユーザーＩＤ、前記持ち物を特定する機器ＩＤを前記無線通信機器から取得する無線通信部と、前記無線通信部で取得された前記ユーザーＩＤ、前記機器ＩＤを時間情報と共に記録して保持する記録部と、前記持ち物管理装置との間でデータ通信する持ち物検出装置のデータ通信部と、前記持ち物検出装置のデータ通信部を介して得られる前記持ち物管理装置からの前記ユーザーＩＤの記録の問い合わせにより、対応する記録を前記記録部から検索して前記持ち物検出装置のデータ通信部を介して前記持ち物管理装置に通知するコントローラとを備え、前記複数の持ち物検出装置の少なくとも１つは、部屋の出入口に設けられ、一定の時間間隔で前記無線通信機器に応答を呼びかけ、前記無線通信機器から応答が得られると、前記ユーザーＩＤ、前記機器ＩＤを前記無線通信機器から取得することにより、前記ユーザーが前記部屋に入室する時点及び前記部屋を退出する時点で、前記ユーザーが携帯する持ち物の前記ユーザーＩＤ及び機器ＩＤを取得し、前記持ち物管理装置は、前記ユーザーの指示により、前記複数の持ち物検出装置に前記ユーザーＩＤの記録を問い合わせして前記複数の持ち物検出装置から前記対応する記録を取得し、取得した記録を、記録して保持した対応する前記持ち物検出装置の設置場所の情報と共に前記時間情報により時系列で集計し、集計結果を解析して、それまで検出されていて、検出されなくなった前記ユーザーの持ち物について、最後に検出された前記持ち物検出装置の設置場所と、検出されなくなった前記持ち物検出装置の設置場所とを前記ユーザーに通知する。
【０００９】
請求項１、請求項３、又は請求項４の構成によれば、少なくとも、紛失した持ち物に関して、何れの持ち物検出装置が設置されている場所までは所持していたかを簡易に検出することができ、これによりこのようにして検出されるユーザーが持ち物を紛失した箇所をユーザーに通知するようにすれば、例えば自宅等で持ち物の紛失に気付いた場合に、何れの場所で持ち物を紛失したかを簡易かつ確実に検出することができる。
【発明の効果】
【００１１】
本発明によれば、何れの場所で持ち物を紛失したかを簡易かつ確実に検出することができる。
【発明を実施するための最良の形態】
【００１２】
以下、適宜図面を参照しながら本発明の実施例を詳述する。
【実施例１】
【００１３】
（１）実施例の構成
図２は、本発明の実施例に係る持ち物管理システムを示すブロック図である。この持ち物管理システム１は、ユーザーの指示により、時系列によりユーザーの立ち寄り先におけるユーザーの持ち物を検出し、これにより何れの場所で持ち物を紛失したかを簡易かつ確実に確認することができるようになされている。
【００１４】
このためこの持ち物管理システム１では、このようなユーザーの到来が予測される場所に、持ち物検出装置２〜５が配置され、この持ち物検出装置２〜５がインターネット等のネットワーク６を介して管理サーバー７に接続され、またこのネットワーク６を介して管理サーバー７がユーザーのパーソナルコンピュータ（パソコン）８に接続されるようになされている。
【００１５】
ここで持ち物検出装置２〜５は、それぞれユーザーの携帯する持ち物を検出して検出結果を保持すると共に、管理サーバー７からの指示により、この検出結果を管理サーバー７に通知する。この実施例において、持ち物検出装置２〜５は、それぞれユーザーの自宅１０、ユーザーの車両１１、ユーザーのオフィス１２、ユーザーの行きつけのレストラン１３等に設置されるようになされ、それぞれユーザーが到来した時点と、ユーザーが立ち去る時点とで持ち物を検出するようになされ、これによりこの持ち物管理システム１では、これら持ち物検出装置２〜５が設けられている場所と、これら持ち物検出装置２〜５が設けられている場所間の移動経路とについて、持ち物を紛失した箇所を検出することができるようになされている。
【００１６】
持ち物検出装置２〜５は、このようなユーザーの持ち物の検出を無線通信により実行するようになされ、この無線通信に近距離通信用の無線通信が適用され、対応する無線通信機能を有してなる機器を管理対象に設定できるようになされている。具体的に、この持ち物検出装置２〜５は、ＩＥＥＥ(The Institute of Electrical and Electoronics Engineers,Inc.）８０２．１１、Bluetooth 、非接触型ＩＣカードに係る無線通信手段が設けられるようになされ、これによりこれらの無線通信手段に対応する機器を管理対象に設定できるようになされている。
【００１７】
これらにより持ち物管理システム１は、図３に示すように、例えばＩＥＥＥ８０２．１１又はBluetooth の通信部２２Ａ、２３Ａ、これら通信部２２Ａ、２３Ａの動作を制御するコントローラ２２Ｂ、２３Ｂを有してなる携帯電話２２、ＰＤＡ（Personal Digital Assistants ）２３を管理対象に設定できるようになされている。また非接触型ＩＣカードに係る通信部２４Ａ、２５Ａ、この通信部２４Ａ、２５Ａの動作を制御するコントローラ２４Ｂ、２５Ｂを有してなるＩＣカードである社員証２４、クレジットカード２５についても、管理対象に設定できるようになされている。しかしてこれらの機器２２、２３、２４、２５のコントローラ２２Ｂ、２３Ｂ、２４Ｂ、２５Ｂは、持ち物検出装置２〜５からの呼びかけに応答するように、対応する通信部２２Ａ、２３Ａ、２４Ａ、２５Ａの動作を制御して認証等の処理を実行し、ユーザーを特定する識別コードであるユーザーＩＤ、各機器の種類を特定する識別コードである機器ＩＤ等を送出するようになされている。
【００１８】
このような管理対象の構成に対応して、持ち物検出装置２〜５のうち、自宅１０及びレストラン１３に設けられている持ち物検出装置２、５において、通信部３０は、ＩＥＥＥ８０２．１１、Bluetooth 、非接触型ＩＣカードに係る近距離通信用の無線通信手段であり、例えば自宅１０の玄関、レストラン１３の入口にアンテナが設けられる。通信部３０は、コントローラ３１の制御により、繰り返し機器２２〜２５に応答を呼びかけ、これらの機器２２〜２５より応答が得られると、コントローラ３１の制御により、認証の処理を実行した後、ユーザーＩＤ、機器ＩＤを応答の得られた機器より取得してコントローラ３１に通知する。例えばＩＣカードにあっては、機器からの機器ＩＤの取得に代えて、応答の得られた無線通信手段より機器ＩＤを特定することも可能である。これにより自宅１０に設けられた持ち物検出装置２においては、ユーザーが外出する時点と、ユーザーが帰宅した時点とでそれぞれユーザーの持ち物を検出できるようになされている。またレストラン１３に設けられた持ち物検出装置５においては、ユーザーが来店した時点と、ユーザーが店を立ち去る時点とでそれぞれユーザーの持ち物を検出できるようになされている。
【００１９】
インターフェース（Ｉ／Ｆ）３２は、ネットワーク６より受信される管理サーバー７の要求をコントローラ３１に通知し、またこの通知によるコントローラ３１の制御により、コントローラ３１から出力される各種のデータをネットワーク６を介して管理サーバー７に出力する。
【００２０】
ハードディスク装置（ＨＤＤ）３３は、コントローラ３１の処理プログラム、コントローラ３１による各種処理結果のデータを記録して保持する。
【００２１】
コントローラ３１は、この持ち物検出装置２、５の動作を制御するコンピュータであり、ハードディスク装置３３に記録された処理手順の実行により、通信部３０の動作を制御して繰り返し機器２２〜２５に応答を呼びかけ、これらの機器２２〜２５より応答が得られると、認証の処理を実行した後、ユーザーＩＤ、機器ＩＤを取得する。また取得したユーザーＩＤ、機器ＩＤを、取得した日時と共にハードディスク装置３３に記録して保持する。
【００２２】
しかして図４は、自宅１０に設置された持ち物検出装置２におけるこのハードディスク装置３３の記録を示す図表である。この場合、ユーザーＡのユーザーＩＤに係るＰＤＡ、携帯電話、社員証、クレジットカードによる機器ＩＤが１２月１１日８時に検出され、続いてユーザーＢのユーザーＩＤに係るＰＤＡ、携帯電話、学生証が９時に検出され、さらにユーザーＣのユーザーＩＤに係る携帯電話が１３時に検出されたことが記録されるようになされている。またさらに１５時には、ユーザーＢのユーザーＩＤに係るＰＤＡ、ユーザーＣに係るユーザーＩＤの携帯電話が検出されたことが記録されるようになされている。
【００２３】
さらにコントローラ３１は、管理サーバー７から特定ユーザーについての記録の提出が求められると、このようにしてハードディスク装置３３に記録してなる対応するユーザーの記録を管理サーバー７に通知するようになされている。
【００２４】
これに対して車両１１の持ち物検出装置３においても、同様にユーザーの持ち物を検出して記録し、管理サーバー７からの要求により対応するユーザーに係る持ち物の記録を管理サーバー７に通知する。車両１１の持ち物検出装置３においては、図３の持ち物検出装置２、５と同様に構成されて、この持ち物の検出に係る一連の処理において、通信部３０の通信可能範囲が車内空間に設定され、ユーザーの乗車の前後、降車の前後でそれぞれこの通信部３０により検出される機器の比較により、ユーザーが携帯して車内に持ち込んだ持ち物、ユーザーが携帯して車外に持ち出した持ち物を検出して記録するようになされている。
【００２５】
これに対してオフィス１２の持ち物検出装置４においては、図３の持ち物検出装置２、５と同様に構成されて、オフィスの入退出管理システムと連動して動作するように構成され、ユーザーによるオフィスの入室時、退出時に、それぞれユーザーの携帯する持ち物を検出してユーザー毎に記録するようになされ、また管理サーバー７からの要求によりこの記録を管理サーバー７に通知するようになされている。
【００２６】
これらによりこの持ち物管理システム１においては、例えばユーザーが自宅１０を出て車両１１により、オフィス１２、レストラン１３等を移動した場合、この移動経路に沿って、持ち物の記録が残されるようになされている。しかしてこのように車両１１により移動して、途中で、例えば携帯電話２３、クレジットカード２５を紛失し、自宅１０に戻ってこの紛失に気付いた場合、ユーザーにおいては、朝、自宅１０より出掛ける時には、これらを携帯していたか否か、また次に訪れたオフィス１２では、これらを携帯していたか否か、等々、その日の移動経路を思い起こしながら、何れの場所で紛失したかを確認することになる。
【００２７】
この持ち物管理システム１においては、例えばユーザーの自宅１０に設けられたパーソナルコンピュータ８による管理サーバー７へのアクセスにより、このような紛失場所の確認がこの管理サーバー７で実行される。すなわちパーソナルコンピュータ８は、ネットワーク６を介して管理サーバー７にアクセス可能なコンピュータであり、ユーザーの操作により閲覧ソフトを起動してこの管理サーバー７により提供されるホームページをアクセスして認証の処理を実行し、このホームページの内容をユーザーに提供する。またこのようにしてホームページの内容をユーザーに提供して、この表示によるユーザーの入力により、検索範囲の日時、検索対象物の入力を受け付け、これらの入力を管理サーバー７に通知する。またこの通知による管理サーバー７の検索結果をユーザーに通知する。
【００２８】
管理サーバー７は、インターネット上にホームページを開設するコンピュータであり、パーソナルコンピュータ８等によるアクセスによりこの持ち物管理システム１を利用可能なユーザーによるアクセスか否か、ユーザー認証の処理を実行する。またこのユーザー認証により、この持ち物管理システム１を利用可能なユーザーによるアクセスに対しては、所定のメニュー画面を提供して一連の検索処理を実行する。
【００２９】
図１は、この検索処理の処理手順を示すフローチャートである。管理サーバー７は、正しくユーザー認証されると、ステップＳＰ１からステップＳＰ２に移り、所定の入力画面をパーソナルコンピュータ８に提供し、この入力画面によるユーザーの入力により検索する日時の範囲を入力する。これにより管理サーバー７は、ユーザーが持ち物を紛失したと考えられる日時の入力を受け付ける。
【００３０】
続いて管理サーバー７は、ステップＳＰ３に移り、ここでこの管理サーバー７の管理に係る持ち物検出装置２〜５の何れかに対して、このアクセスに係るユーザーのユーザーＩＤ、検索範囲により、持ち物検出装置で記録してなる検出結果の通知を指示する。しかしてこの場合に、例えば図４の記録に対して、検索範囲１２月１１日をユーザーＡが指定して検索を指示した場合、管理サーバー７は、この１２月１１日に係るユーザーＡの持ち物検出結果を問い合わせし、対応する持ち物検出装置においては、この１２月１１日に係るＰＤＡ、携帯電話、社員証、クレジットカードの検出結果を返すことになる。
【００３１】
これにより管理サーバー７は、続いてステップＳＰ４に移り、対応する持ち物検出装置からの応答により当該ユーザーＩＤに係る記録が存在するか否か判断し、記録が存在する場合には、ステップＳＰ４からステップＳＰ５に移り、この記録を取得した後、ステップＳＰ６に移る。これに対して持ち物検出装置に対応する記録が存在しない場合、ステップＳＰ４から直接ステップＳＰ６に移る。
【００３２】
このステップＳＰ６において、管理サーバー７は、全ての持ち物検出装置に対して、問い合わせを完了したか否か判断し、ここで否定結果が得られると、ステップＳＰ７に移り、問い合わせ先を次の持ち物検出装置に設定した後、ステップＳＰ３に戻る。これにより管理サーバー７は、この管理サーバー７の管理対象である全ての持ち物検出装置に対して、アクセスに係るユーザーの持ち物の記録を順次問い合わせして取得するようになされている。
【００３３】
管理サーバー７は、これらの持ち物検出結果の取得において、併せて持ち物を検出した時刻を取得し、全ての持ち物検出装置について問い合せを完了すると、ステップＳＰ６で肯定結果が得られることにより、ステップＳＰ６からステップＳＰ８に移り、取得した検出結果を検出時間により時系列により配列し、この時系列による配列をコンピュータ８により表示する。
【００３４】
図５は、この表示の例を示す平面図であり、この例においては、自宅を出た後、オフィスに入室するまでの間、ＰＤＡ、携帯電話、社員証、クレジットカードを携帯しているのに対し、オフィスを出る際には、ＰＤＡ、社員証、クレジットカードしか持ち物が検出されておらず、これによりオフィスで携帯電話を紛失したことが判る。またオフィスを出た後、レストランに入るまでの間、ＰＤＡ、社員証、クレジットカードを携帯しているにもかかわらず、レストランを出るときには、ＰＤＡ、社員証しか持ち物が検出されていないことにより、レストランでクレジットカードを紛失したことが判る。またレストランを出た後、車両に乗り込んだ時点では、ＰＤＡ、社員証を携帯しているのに対し、車両を降りた時点ではＰＤＡしか携帯しておらず、これにより車両に社員証を置き忘れていることが判る。これにより管理サーバー７は、持ち物検出装置による検出結果を時系列により集計してユーザーが持ち物を紛失した箇所をユーザーに通知するようになされている。
【００３５】
ところでこのようにして検出される持ち物の履歴においては、ユーザーが意図して外出先に放置した場合も考えられる。また実際には当初より携帯していない場合であって、ユーザーが携帯して自宅１０から外出したと思い込んでいる場合も考えられる。これにより管理サーバー７は、このようにして履歴をコンピュータ８で表示して、ユーザーによる紛失の有無の操作を受け付け、続くステップＳＰ９において、ユーザーが紛失のメニューを選択したか否か判断し、ここで否定結果が得られると、ステップＳＰ１０に移ってこの処理手順を終了する。
【００３６】
これに対してステップＳＰ９で肯定結果が得られると、管理サーバー７は、ステップＳＰ９からステップＳＰ１１に移り、所定のメニュー画面をコンピュータ８に表示して遺失物処理を実行するか否かのユーザーによる選択を受け付ける。ここで遺失物処理は、関係機関に連絡して遺失物の発見、遺失物による損害を回避する処理である。ここで否定結果が得られると、管理サーバー７は、ステップＳＰ１１からステップＳＰ１０に移ってこの処理手順を終了する。これに対してステップＳＰ１１で肯定結果が得られると、管理サーバー７は、ステップＳＰ１２に移り、遺失物処理を実行した後、ステップＳＰ１０に移ってこの処理手順を終了する。
【００３７】
これにより管理サーバー７は、この遺失物が例えばクレジットカードの場合、カード会社に連絡してこのクレジットカードを使用できないように設定し、またクレジットカードの再発行を手配する。またこのカードが例えば定期券の場合には、関係交通機関に連絡してこの定期券を使用できないようにし、定期券の再発行を手配する。これに対して携帯電話、ＰＤＡの場合であって、例えばレストラン等の特定の施設で紛失した場合には、この施設に連絡して遺失物の有無を確認する。
【００３８】
（２）実施例の動作
以上の構成において、この持ち物管理システム１を利用するユーザーにおいては、例えば自宅１０を出る際に、自宅１０の玄関にて持ち物検出装置２による無線通信により携帯してなる無線通信可能な機器が検出され、この検出した機器が記録される。また車両１１に乗り込んだ場合、車両１１を降車した場合にも、それぞれ持ち物検出装置３により携帯する持ち物が検出され、この検出結果が記録される。またオフィス１２に入室する場合、オフィス１２を退室する場合、レストラン１３に来店した場合、このレストラン１３を立ち去る場合にも、同様にして持ち物が検出されて記録される。またさらに自宅１０に帰宅した場合にも、同様に、持ち物が検出される。これらによりこの持ち物管理システム１では、このユーザーの到来が予測される箇所に設置された持ち物検出装置により、ユーザーの携帯する機器が検出されて記録される。
【００３９】
これによりユーザーにおいては、例えば自宅１０に帰宅してコンピュータ８により管理サーバー７の提供するホームページをアクセスして検索範囲の日時を指定することにより、このユーザーを特定するユーザーＩＤをキーにして、これら持ち物検出装置２〜５に記録された検索範囲の記録が管理サーバー７で取得され、これら複数の持ち物検出装置による検出結果が時系列により集計されてユーザーに通知される。
【００４０】
これによりユーザーにおいては、何れの場所まで所持していた持ち物が、何れの場所で失われていたかを簡易かつ確実に確認することができ、これにより遺失物の存在箇所を具体的に特定できないまでも、何れの場所で持ち物を紛失したかを簡易かつ確実に確認することができ、その分、遺失物の発見精度を格段的に向上することができる。
【００４１】
またこのようにして何れの場所で持ち物を紛失したかを検出して、この持ち物管理システム１では、ユーザーによる指示により遺失物処理が実行され、これにより関係機関に連絡して遺失物の発見、遺失物による損害を有効に回避することができる。
【００４２】
（３）実施例の効果
以上の構成によれば、ユーザーの到来が予測される箇所でそれぞれユーザーの持ち物を検出し、この持ち物の検出結果の時系列による集計により、何れの場所で持ち物を紛失したかを簡易かつ確実に検出することができる。
【実施例２】
【００４３】
この実施例においては、図５について上述した時系列による検出結果の配置に代えて、図５との対比により図６に示すように、ユーザーの携帯する持ち物が変化した前後の検出場所を、その変化した持ち物と共にパーソナルコンピュータ８に表示する。なおこの実施例においては、このようなパーソナルコンピュータ８によるユーザーへの通知が異なる点を除いて、実施例１の持ち物管理システム１と同一に構成されることにより、以下の説明においては、適宜、図２に示す構成を流用して説明する。
【００４４】
このため管理サーバー７は、各持ち物検出装置２〜５からユーザーＩＤ、検出範囲により検出結果を収拾した後、時系列により連続する検出結果において、連続する検出結果を比較し、この比較結果により持ち物の変化、この変化に係る持ち物を検出する。またこの検出結果をパーソナルコンピュータ８により表示する。
【００４５】
この実施例のように、持ち物の検出結果の時系列により集計し、さらに連続する検出結果の比較により持ち物の変化、この変化に係る持ち物を検出すれば、直接、持ち物を紛失した場所を特定し得、その分、一段と使い勝手を向上することができる。
【実施例３】
【００４６】
この実施例においては、管理サーバーにより各持ち物検出装置をアクセスして持ち物の検出結果を集計する代わりに、パーソナルコンピュータにより各持ち物検出装置をアクセスして持ち物の検出結果を集計する。またこのとき、ＰＤＡを保持している場合には、このＰＤＡに記録されたスケジュールによりユーザーの経路に従って持ち物検出装置を選択的にアクセスする。またユーザーの選択によりパーソナルコンピュータに代えて、ＰＤＡ又は携帯電話によっても、各持ち物検出装置をアクセスして持ち物検出結果を集計する。このためこの実施例において、パーソナルコンピュータ、ＰＤＡ、携帯電話は、それぞれ実施例１について上述した検索範囲の入力を受け付ける処理、この検索範囲により各持ち物検出装置をユーザーＩＤによりアクセスして持ち物検出結果を取得する処理、この取得した持ち物検出結果を時系列により表示する処理等をコントローラによりそれぞれ実行できるようになされている。
【００４７】
この実施例のように、ネットワーク上のサーバーに代えて、ユーザーの保持する情報機器により各持ち物検出装置をアクセスし、この情報機器により持ち物管理装置を構成するようにしても、実施例１と同様の効果を得ることができる。
【実施例４】
【００４８】
なお上述の実施例においては、必要に応じて各持ち物検出装置をアクセスして持ち物検出結果を集計する場合について述べたが、本発明はこれに限らず、ユーザーの携帯する携帯電話、ＰＤＡ等に各所で検出される持ち物検出結果を逐次記録するようにして、この持ち物検出結果を時系列により集計するようにしてもよい。このようにすれば、いちいち各持ち物検出装置をアクセスすることなく、持ち物の紛失場所を特定することができる。なおこの場合、このような検出結果を記録した情報機器自体を紛失する場合も考えられることにより、この場合は、例えばパーソナルコンピュータによりネットワークを介してこの情報機器をアクセスして持ち物検出結果をアップロードすることにより、この情報機器を紛失した場所を特定することができる。
【００４９】
また上述の実施例においては、車両の乗降、部屋の入退出、レストラン、自宅の出入りに関して、忘れ物を検出する場合について述べたが、本発明はこれに限らず、例えば改札口の通過時、電車の乗降時に持ち物を検出する場合等にも広く適用することができる。
【産業上の利用可能性】
【００５０】
本発明は、例えば家、車、オフィス等のユーザーの立ち寄り先での忘れ物の発見に利用することができる。
【図面の簡単な説明】
【００５１】
【図１】本発明の実施例１に係る持ち物管理システムにおける管理サーバーの処理手順を示すフローチャートである。
【図２】本発明の実施例１に係る持ち物管理システムを示すブロック図である。
【図３】図２の持ち物管理システムにおける持ち物検出装置を示すブロック図である。
【図４】図３の持ち物検出装置における検出結果の記録の説明に供する図表である。
【図５】本発明の実施例２に係る持ち物管理システムにおける検出結果の表示を示す平面図である。
【図６】本発明の実施例２に係る持ち物管理システムによる検出結果の表示を示す平面図である。
【符号の説明】
【００５２】
１……持ち物管理システム、２〜５……持ち物検出装置、６……ネットワーク、７……管理サーバー、８……パソコン
【図１】
0004705322.tif 000002
【図２】
0004705322.tif 000003
【図３】
0004705322.tif 000004
【図４】
0004705322.tif 000005
【図５】
0004705322.tif 000006
【図６】
0004705322.tif 000007